(57)【要約】【課題】食品用途等、外気や雑菌による内容物の品質劣化の防止が必要なエアゾール容器に対して最適であり、取り外しの際でもノズルに不要な外力を与えないキャップを提供すること。【解決手段】エアゾール容器１のノズル１１を覆うためのキャップ２であり、ノズル１１の全体を覆うことのできる外キャップ３と、外キャップ３の内部に設けられ、少なくともノズル１の先端部分を覆う内キャップ４とを備えたものであり、外キャップ３と内キャップ４との間には、エアゾール容器の一部１２ａに対して嵌合することにより、キャップ２を固定可能な嵌合部５が設けられている。この嵌合部５には、外キャップ３を貫通する操作棒６が設けられており、外キャップ３の外部から嵌合部５を、エアゾール容器の一部１２ａとの嵌合状態を解くように操作可能である。【選択図】          図２
2005324801.tif 000002
【特許請求の範囲】
【請求項１】
エアゾール容器（１）から突出して設けられた、内容物を噴射するノズル（１１）を覆うためのエアゾール容器用のキャップ（２）であって、
このキャップ（２）は、上記のノズル（１１）の全体を覆うことのできる外キャップ（３）と、
外キャップ（３）の内部に設けられた、少なくとも上記のノズル（１）における先端部分を覆う内キャップ（４）と、
を備えたものであり、
上記の外キャップ（３）と内キャップ（４）との間には嵌合部（５）が設けられており、
この嵌合部（５）は、エアゾール容器の一部（１２ａ）に対して嵌合することにより、キャップ（２）を固定可能なものであって、
この嵌合部（５）には、外キャップ（３）を貫通して操作棒（６）が設けられており、これにより、外キャップ（３）の外部から嵌合部（５）を、エアゾール容器の一部（１２ａ）との嵌合状態を解くように操作可能であることを特徴とするエアゾール容器用のキャップ。
【請求項２】
エアゾール容器（１）から突出して設けられた、内容物を噴射するノズル（１１）を覆うためのエアゾール容器用のキャップ（２）であって、
このキャップ（２）には、少なくとも上記のノズル（１１）における先端部分を覆う内キャップ（４）と、
エアゾール容器の一部（１２ａ）に対して嵌合することにより、キャップ（２）を固定可能な嵌合部（５）とが設けられており、
この嵌合部（５）は、上記のエアゾール容器の一部（１２ａ）との嵌合状態を解くように操作可能であることを特徴とする、エアゾール容器用のキャップ。
【発明の詳細な説明】
【技術分野】
【０００１】
本願発明は、エアゾール容器用であり、ノズルを覆うために用いるキャップに関するものである。
【背景技術】
【０００２】
【特許文献１】実開平４−６８８６９号公報
【０００３】
内部に、高圧の気体とともに液体などの流動性を有する内容物を充填し、ノズルを開放することによって、充填された内容物を噴射可能としたエアゾール容器が種々の用途に利用されている。このエアゾール容器は、従来は殺虫剤や塗料や化粧品などに対して用いられてきたが、最近は食品用途としても使用されつつある。この用途における内容物の例としてはホイップクリームなどがあげられる。
ここで、食品用途のエアゾール容器の一例として、特許文献１に記載された考案が存在する。これは、ノズルなど、内容物が通過する部分を抗菌性の合成樹脂で形成したものである。このように、特に食品用のエアゾール容器においては、雑菌が内容物に混入してしまうことを防止する必要がある。あわせて、内容物が空気に触れることによって酸化することも防止する必要がある。これらのことは、食品用途のエアゾール容器に限られたものではなく、外気による内容物の酸化などの品質劣化を防ぐことが必要とされるエアゾール容器全般における問題となっている。
【発明の開示】
【発明が解決しようとする課題】
【０００４】
そこで、上記問題への対策として、図５（Ａ）に示すように、エアゾール容器１０１の一部に嵌合するキャップ１０２を取り付け、ノズル１０３をキャップ１０２で覆うことでノズル１０３の噴出口１０３ａを外気から隔てることが考えられる。
ここで、図示したようにエアゾール容器１０１の一部に単に嵌合するだけのキャップ１０２を用いた場合、キャップ１０２を外す際のこじる動作によって、図５（Ｂ）に示すように、ノズル１０３の根元に折れ曲がるような力を与えてしまうことがある。
特に、傾倒させることにより噴射を行うタイプのノズル１０３にあっては、このようにノズル１０３が折り曲げられることにより、不用意に噴射がなされることがあって不都合であった。また、最も一般的な、エアゾール容器１０１の側への押し込み動作により噴射を行うタイプのノズル１０３であっても、上記のように、根元が折れ曲がるような力がかかるのは、ノズル１０３の損傷や作動不良を招くことがあって好ましくない。
【０００５】
本願発明は上記のことに鑑み、食品用途を初めとして、外気や雑菌による内容物の品質劣化を防ぐことが必要とされるエアゾール容器に対して最適なキャップを提供することを第１の課題とする。
また、取り外しの際においても、ノズルに不要な外力を与えることのないキャップを提供することを第２の課題とする。
【課題を解決するための手段】
【０００６】
上記課題を解決するために、本願の請求項１に記載の発明は、エアゾール容器１から突出して設けられた、内容物を噴射するノズル１１を覆うためのエアゾール容器用のキャップ２であって、このキャップ２は、上記のノズル１１の全体を覆うことのできる外キャップ３と、外キャップ３の内部に設けられた、少なくとも上記のノズル１における先端部分を覆う内キャップ４とを備えたものであり、上記の外キャップ３と内キャップ４との間には嵌合部５が設けられており、この嵌合部５は、エアゾール容器の一部１２ａに対して嵌合することにより、キャップ２を固定可能なものであって、この嵌合部５には、外キャップ３を貫通して操作棒６が設けられており、これにより、外キャップ３の外部から嵌合部５を、エアゾール容器の一部１２ａとの嵌合状態を解くように操作可能であることを特徴とするエアゾール容器用のキャップを提供する。
【０００７】
また、本願の請求項２に記載の発明は、エアゾール容器１から突出して設けられた、内容物を噴射するノズル１１を覆うためのエアゾール容器用のキャップ２であって、このキャップ２には、少なくとも上記のノズル１１における先端部分を覆う内キャップ４と、エアゾール容器の一部１２ａに対して嵌合することにより、キャップ２を固定可能な嵌合部５とが設けられており、この嵌合部５は、上記のエアゾール容器の一部１２ａとの嵌合状態を解くように操作可能であることを特徴とする、エアゾール容器用のキャップを提供する。
【発明の効果】
【０００８】
本願発明の実施にあっては、内キャップ４がノズル１１における先端部分を覆うことにより、エアゾール容器１の内容物の品質保持を確実にできる。また、このキャップ２は、エアゾール容器の一部１２ａとの嵌合状態を解くように嵌合部５を操作可能であることから、キャップ２を外す際のこじる動作などにより、ノズル１１に不要な外力を与えることがない。
【発明を実施するための最良の形態】
【０００９】
以下、図面に基づき本願発明の実施の形態の一例をとりあげて説明する。図１は、本例のエアゾール容器を示す斜視図である。図２は、キャップ及びその周辺を示す要部拡大断面図である。
【００１０】
本例におけるエアゾール容器１は、図１に示すように円筒状であって、図示上端側に絞られた形状の肩部１３が形成されており、この肩部１３の図示上端に、図２に示すように皿状の噴射部１２が設けられている。そして、この噴射部１２の中央から突出するようにしてノズル１１が設けられている。このエアゾール容器１の内部には、液状やゲル状などの流動性を有する内容物と、この内容物を加圧し、ノズル１１の噴射口１１ａから外部に噴射させるための高圧の気体が封入されている。本例におけるノズル１１は、図２に示すように、先端部が噴射口１１ａとされた筒状体であり、ノズル１１を根元から傾倒させることにより、ノズル１１の基端部分に設けられた弁（図示省略）が開放され、内容物を噴射口１１ａから噴射できる。
【００１１】
本例におけるキャップ２は、このノズル１１を外側から覆うことができるものであって、樹脂製のものである。具体的にはポリプロピレン製とされているが他の樹脂でも実施できる。本例のキャップ２は、外キャップ３、内キャップ４、嵌合部５を備えたものであって、外側から外キャップ３、嵌合部５、内キャップ４の順に、図３に示すように同心に配位されている。また本例では、内キャップ４及び嵌合部５は外キャップ３の上面３１の下方から突出するように、それぞれ形成されている。
【００１２】
外キャップ３は、エアゾール容器１の噴射部１２とノズル１１とを覆うことができるものとされている。本例では、緩く湾曲して形成された上面３１とテーパ状の側面３２とが組み合わされ、下方が開口されたものである。
本例においては、エアゾール容器１にキャップ２を取り付けた際において、外キャップ３の下端部３３がエアゾール容器１の肩部１３に接するように配位される。本例のキャップ２では、外キャップ３の下端部３３とエアゾール容器１の肩部１３との間は完全に密着しているわけではないが、下端部３３に密着性の良いパッキンを設けることなどにより、気密状態でキャップ２を取り付けても良い。また逆に、必要な場合は外キャップ３の上面３１や側面３２に孔を設けることで通気可能としても良いし、更には、外キャップ３の側面３２全体を省略し、後述する嵌合部５が露出するものとしても良い。
【００１３】
内キャップ４は、本例においては、図２に示すように、上面４１が外キャップ３の上面３１の一部と兼ねるものであり、その上面４１から下方に突出するように筒部４２が設けられ、円筒状とされたものである。ここで、内キャップ４の形態はこれに限られず、例えば、外キャップ３の側面３２によって支持されたものとしても良い。
この内キャップ４は、少なくともノズル１１における先端部分を覆うことのできるものであり、これにより、ノズル１１の先端部に設けられた噴射口１１ａが内キャップ４に覆われ、エアゾール容器１の内容物を外気から隔てて品質保持をはかることができる。
本例では、筒部４２とノズル１１とは直接当接しているが、筒部４２の内面に密着性の良いパッキンなどを設けることにより密着させても良い。
ここで、本願発明に係るキャップ２には下記のように操作可能な嵌合部５が設けられているため、こじることなくキャップ２をエアゾール容器１から取り外すことが可能であって、ノズル１１を覆った内キャップ４によって、従来のようにノズル１１の損傷が起きることもない。
【００１４】
嵌合部５は、本例においては、図２及び図３に示すように、外キャップ３と内キャップ４の間であって、外キャップ３の上面３１を根元部として、下方に突出するように設けられた、弾性を有する舌状のものであって、図３に示すように、径方向に対向して２つ設けられている。
そして、嵌合部５の一部がエアゾール容器１の一部に対して嵌合可能な爪部５１とされており、これによりキャップ２をエアゾール容器１に固定することができる。本例において、この爪部５１は嵌合部５の下端部であって、嵌合部５から外側方向へと突出した、垂直断面の形状が略三角形である突起とされており、この爪部５１における上部斜面５１ａの少なくとも一部が、噴射部１２の内縁１２ａに対して引っ掛かる。
なお、嵌合部５の形態については本例のものに限られず、外キャップ３の側面３２や内キャップ４を根元部として設けても良い。また、爪部５１の垂直断面の形状についても、噴射部１２の内縁１２ａに対して引っ掛かる上部斜面５１ａを有するものであれば、半円形や多角形断面など、種々に変更して実施できる。
【００１５】
この嵌合部５において、根元部である外キャップ３の上面３１と先端部である爪部５１との間には、図２に示すように、外キャップ３を貫通するようにして操作棒６が設けられている。この操作棒６の内側端は嵌合部５に固定されており、外側端は外キャップ３の外部に露出しており、操作ボタン６１が設けられている。ここで、上記のように嵌合部５が対向して設けられていることにより、図３に示すように、操作ボタン６１もまた、対向する位置に存在する。
上記のように構成されたことにより、操作ボタン６１をキャップ２の内側方向へと押すことで操作棒６を押し込み、図４に示すように、外キャップ３の外部から嵌合部５の爪部５１を内側へと移動させるように操作でき、エアゾール容器１における噴射部１２の内縁１２ａと上記の爪部５１との嵌合を解くことができる。
なお、上記のように、操作ボタン６１は対向する位置に存在するため、操作ボタン６１を押し込む際には、各操作ボタン６１に均等に力がかかることとなる。そのため、従来のようにキャップ２をこじるような力が発生しにくくなり、キャップ２を図４に示した矢印方向に、まっすぐ上方に取り外すことが可能である。
なお、本例では、この操作ボタン６１の形状は円盤状とされているが、指で操作棒６を上記のように押しこむことのできる形状であれば、種々に変更し得る。
【００１６】
このように、図５（Ｂ）に示すようにキャップをこじるようなことなく、キャップ２をまっすぐ上方へと取り外すことができるため、本例のように傾倒させることにより噴射を行うタイプのノズル１１にあっても、不用意に噴射がなされることがなく、安心して使用できる。また、一般的な、押し込み動作により噴射を行うタイプのノズルにあっても、ノズルの損傷や作動不良を招くことがない。
なお、上記のように、外キャップ３の側面３２を省略した場合にあっては、特に操作棒６を設ける必要はなく、嵌合部５の爪部５１を押さえ、直接内側へと移動させるように操作すれば良い。
また、キャップ２をエアゾール容器１に取り付ける際は、キャップ２をそのまま下方に押し込むことで、噴射部１２の内縁１２ａに押されて嵌合部５の爪部５１が内側へと移動し、自然に上記の嵌合状態となる。
【００１７】
なお、図１や、図２に点線で示したように、本例では外キャップ３と操作ボタン６１との間に、一部を挟むことができるストッパー７が取り付けられており、エアゾール容器１を使用しない場合に、不意に操作棒６１が内部に押し込まれてキャップ２が脱落しないようになされている。
【００１８】
本例では、上記のように、嵌合部５の内側に設けられた爪部５１が噴射部１２の内縁１２ａに引っ掛かることによって、キャップ２をエアゾール容器１に保持するものとしたが、これに限られるものではなく、逆に噴射部１２の外縁に爪部５１を引っ掛けることによって嵌合する構造としても良い。
この場合においては、爪部５１を外側に移動させて、嵌合状態を解除する必要がある。この爪部５１の移動は、本例のような操作棒を嵌合部５に設けておき、この操作棒を引き出すようにして操作しても良いし、キャップ２の内部に簡易なリンク機構を設けておき、本例と同様に、操作棒を押し込むことに連動させて、爪部５１を外側に移動させるような構造としても良い。
【００１９】
また、図２や図３に示すように、嵌合部５を舌状としたものに限られず、柔軟な素材を用いて内キャップ４と同様に円筒状に形成することなどにより、嵌合部５の一部を変形可能としておき、嵌合部５の一部に設けた爪部５１を移動可能としても良い。
また、操作棒６に、内側に押し込んだ状態で、その状態を一時的に固定できるロック機構を設けても良い。
このように、本願発明は、種々の形態での実施が可能である。
【図面の簡単な説明】
【００２０】
【図１】本例のエアゾール容器を示す斜視図である。
【図２】キャップの周辺を示す要部拡大断面図である。
【図３】キャップを示す底面図である。
【図４】キャップの周辺を示す要部拡大断面図である。
【図５】（Ａ）（Ｂ）とも、従来のキャップを示す要部断面図である。
【符号の説明】
【００２１】
１        エアゾール容器
１１      ノズル
１２ａ    エアゾール容器の一部、噴射部の内縁
２        キャップ
３        外キャップ
４        内キャップ
５        嵌合部
６        操作棒
【図１】
2005324801.tif 000003
【図２】
2005324801.tif 000004
【図３】
2005324801.tif 000005
【図４】
2005324801.tif 000006
【図５】
2005324801.tif 000007